(57)【要約】【課題】構内交換機でＰＨＳなどの無線端末と接続する無線端末インタフェースを搭載する場合、主制御ユニットから各無線端末インタフェースに分配するＳＦ同期信号の伝送線であるＳＦ同期信号線が、無線端末インタフェースの搭載数の変更に対して融通性に欠けるのみならず、余分であり不経済であること。【解決手段】主制御ユニット１でＰＣＭ−ＨＷ信号生成部１１から送出される各無線端末インタフェース２へのＰＣＭ−ＨＷ３の下りデータの所定のビット位置にＳＦ周期生成部１２で生成したＳＦ同期信号を、ＳＦ同期信号重畳部１３で重畳してＰＣＭ−ＨＷ３に送出し、無線端末インタフェース２でＳＦ同期信号を、下りデータの所定のビット位置から分離することにより受信することで、ＳＦ同期信号線の削除を行っている。【選択図】図２
2006025038.tif 000002
【特許請求の範囲】
【請求項１】
スーパーフレームを用いる無線端末を接続する構内交換システムにおいて、
構内交換システムの機能を主制御する主制御ユニットと、一方で移動する無線端末と無線電波を用いて接続し、他方で前記主制御ユニットとの間に通信路を形成し前記主制御ユニットを介して前記無線端末を相互接続し通信させる複数の無線端末インタフェースとを備え、
前記主制御ユニットは前記無線端末を同期させるスーパーフレーム同期信号を、前記無線端末インタフェースそれぞれへデータを送る下り回線の所定のビット位置に重畳させ、かつ
前記無線端末インタフェースは前記主制御ユニットから受けるデータの下り回線の所定のビット位置からスーパーフレーム同期信号を分離して取り出す
ことを特徴とする構内交換システム。
【請求項２】
請求項１に記載の構内交換システムにおいて、前記主制御ユニットは、ＰＣＭ（パルス符号変調）ハイウェイ信号を生成するハイウェイ信号生成部と、スーパーフレーム同期信号を生成するスーパーフレーム同期信号生成部と、前記ハイウェイ信号生成部で生成してハイウェイに出力するためのビット信号を受ける一方、前記スーパーフレーム同期信号生成部で生成されるスーパーフレーム同期信号を前記ビット信号の所定位置に重畳させて前記ハイウェイに送出するスーパーフレーム同期信号重畳部とを備えることを特徴とする構内交換システム。
【請求項３】
請求項１に記載の構内交換システムにおいて、前記無線端末インタフェースは、前記主制御ユニットからＰＣＭ（パルス符号変調）ハイウェイを介して受けるＰＣＭハイウェイ信号を内部に取り込む一方、前記ＰＣＭハイウェイ信号の所定のビット位置から前記スーパーフレーム同期信号を分離するスーパーフレーム同期信号分離部と、前記スーパーフレーム同期信号分離部からＰＣＭハイウェイ信号を受けて復号してない部に取り込むＣＯＤＥＣ（符号化・復号装置）と、前記スーパーフレーム同期信号分離部から前記スーパーフレーム同期信号を受けてスーパーフレームに形成するスーパーフレーム同期信号受信部とを備えることを特徴とする構内交換システム。
【請求項４】
請求項１、２または３に記載の構内交換システムにおいて、前記スーパーフレーム同期信号が挿入されるハイウェイは前記主制御ユニットから前記無線端末インタフェースへの下りデータバスであり、前記主制御ユニットは、一つのスーパーフレーム周期を設定する一つの信号値設定レジスタと、この信号値設定レジスタで設定されたビット信号を前記下りデータバス上の所定位置に指定する六つのスーパーフレームレジスタと、スーパーフレーム信号の一つの選択値を設定するスーパーフレーム出力レジスタと、前記スーパーフレームレジスタの出力により六つのデータビットそれぞれを選択してハイウェイのデータセレクタに送出する六つのデータセレクタとを備えることを特徴とする構内交換システム。
【請求項５】
スーパーフレームを用いる無線端末を接続する構内交換システムの同期方法において、構内交換システムの主制御ユニットから複数の無線端末インタフェースそれぞれへデータを送る下り回線の所定のビット位置にスーパーフレーム同期信号を重畳して割り込ませることを特徴とする構内交換システムの同期方法。
【請求項６】
請求項５に記載の構内交換システムの同期方法において、前記無線端末インタフェースで、予め設定された前記所定のビット位置からスーパーフレーム同期信号を分離して取り出すことを特徴とする構内交換システムの同期方法。
【発明の詳細な説明】
【技術分野】
【０００１】
本発明は、無線端末を接続する構内交換システム及びその同期方法に関し、特に無線通信の同期確認が簡素化される構内交換システム及びその同期方法に関するものである。
【背景技術】
【０００２】
従来の無線端末を接続する構内交換システム及びそのシステムにおける無線通信の同期方法では、狭い範囲での無線通信システム、例えば、ＰＨＳ（パーソナルハンディホンシステム）に対して、社団法人電波産業会（ＡＲＩＢ）における「ＲＣＲ・ＳＴＤ−２８」により標準規格化されているパーソナルデジタルセルラー方式の携帯電話網に適用されるスーパーフレームが実用に供されている。
【０００３】
スーパーフレームは、携帯される無線端末側の電力消費を軽減するために採用されている。例えば、ＰＨＳで使用されるフレームが５ｍｓの周期であるのに対して、スーパーフレームは呼び出し信号に更に長い周期で追従するように形成されている。このスーパーフレームを形成するスーパーフレーム同期信号は、構内交換システムにおけるデジタル化音声に対応する周波数８ｋＨｚに基づく１２５μｓ周期のＰＣＭ（パルス符号変調）同期信号を基準として構内交換システムに備えられており、５ｍｓのＰＨＳ周期に対して例えば、７５０ｍｓ、１０４０ｍｓ、又は１２００ｍｓなどのスーパーフレーム周期が用いられている。
【０００４】
図１は、従来の構内交換システムにおいて無線端末を含む場合のブロック構成の一例を示す図である。
【０００５】
構内交換機１００は主制御ユニット１０１と複数の無線端末インタフェース１０２とを有し、その間をＰＣＭ−ＨＷ（ＰＣＭハイウェイ）１０３及びＳＦ（スーパーフレーム）同期信号線１０４が接続している。主制御ユニット１０１はＰＣＭ−ＨＷ信号生成部１１１とＳＦ周期生成部１１２とを有する。無線端末インタフェース１０２はＣＯＤＥＣ（符号化・復号併合装置）１１３、ＳＦ同期信号受信部１１４、及びアンテナ１１５とを有し、例えば移動するＰＨＳによる無線端末１０５と上記規格により無線通信する。一つの無線端末１０５は移動中に近くの無線端末インタフェース１０２とアクセスできる。
【０００６】
構内交換機１００において通常は、主制御ユニット１０１からＰＣＭ−ＨＷ１０３が端末まで接続され、ＰＣＭ同期信号に同期して通信する。スーパーフレームは上述したように無線通信のためにのみ無線端末１０５に必要である。従ってスーパーフレームは無線端末１０５及び無線端末インタフェース１０２のみで使用される。しかしながら、無線端末１０５及び無線端末インタフェース１０２は複数存在し、かつ小型化を必要とする。更に複数にわたって同一時期に同期信号が必要である。したがって、ＳＦ同期信号は、主制御ユニット１０１のＳＦ周期生成部１１２で生成して無線端末インタフェース１０２に分配し、無線端末１０５まで同期させている。
【０００７】
このような構成では、ＳＦ同期信号線１０４の配線が、ＰＣＭ−ＨＷ１０３に平行して主制御ユニット１０１から無線端末インタフェース１０２の搭載領域及び搭載予定領域に対して必要である。従って、無線端末１０５を用いない構内交換機１００にとっては、このＳＦ同期信号線１０４は余分なものである。一方、搭載予定領域まで配線されている既存の構内交換機１００では、搭載予定以外に無線端末インタフェース１０２を増設しようとしても追加の配線が困難である。
【発明の開示】
【発明が解決しようとする課題】
【０００８】
解決しようとする課題は、構内交換機においてＰＨＳなどの無線端末と接続する無線端末インタフェースを搭載する場合、主制御ユニットから各無線端末インタフェースに分配するスーパーフレーム（ＳＦ）同期信号の伝送線であるＳＦ同期信号線が、交換機能のためのＰＣＭハイウェイ（ＰＣＭ−ＨＷ）と平行して配線されるため、無線端末インタフェースの搭載数の変更に対して融通性に欠けるのみならず、余分であり不経済であることは免れないということである。
【課題を解決するための手段】
【０００９】
本発明は、ＳＦ同期信号線を削除するため、主制御ユニットから各無線端末インタフェースへの下りデータ用ＰＣＭハイウェイを用いてＳＦ同期信号を伝送することを主要な特徴とする。
【００１０】
すなわち、下りデータ用ＰＣＭハイウェイで予め定められたビット位置に、ＳＦ同期信号を乗せている。
【発明の効果】
【００１１】
本発明の構内交換システム及びその同期方法は、ＰＣＭハイウェイを用いてＳＦ同期信号を伝送するため、ＳＦ同期信号線を削除できるので、配線上の経済性が得られるという利点がある。更に、無線端末とは限らず、端末インタフェースまでＳＦ同期信号が届くので、無線端末インタフェースの設備の増加に融通性を持たせられるという利点も生じる。
【発明を実施するための最良の形態】
【００１２】
ＳＦ同期信号線を削除するという目的を、ＰＣＭハイウェイ（ＰＣＭ−ＨＷと略称する。）を用いて所定のビット位置にＳＦ同期信号を重畳して伝送することにより実現した。
【実施例１】
【００１３】
本発明の基本形態について図２を参照して実施例１として説明する。図２は図１に対応する構内交換機１０のブロック構成の一形態を示す図である。
【００１４】
構内交換機１０は、主制御ユニット１と複数の無線端末インタフェース２とを有し、その間をＰＣＭ−ＨＷ（ＰＣＭハイウェイ）３が接続している。主制御ユニット１はＰＣＭ−ＨＷ信号生成部１１とＳＦ（スーパーフレーム）周期生成部１２とＳＦ同期信号重畳部１３とを有する。無線端末インタフェース２はＳＦ同期信号分離部１４、ＣＯＤＥＣ（コーデック・符号化復号装置）１５、ＳＦ同期信号受信部１６、及びアンテナ１７を有し、例えば移動するＰＨＳ（パーソナルハンディホンシステム）による無線端末５と上記ＲＣＲ・ＲＴＤ−２８規格にしたがって無線通信する。一つの無線端末５は移動中に近くの無線端末インタフェース２とアクセスできる。
【００１５】
構内交換機１００において通常は、主制御ユニット１からＰＣＭ−ＨＷ３が端末まで接続され、ＰＣＭ同期信号に同期して通信する。スーパーフレーム（以後ＳＦと略称する場面がある）は、上述したように無線通信のためにのみ無線端末５に必要であるが、主制御ユニット１のＰＣＭ−ＨＷ信号生成部１１で生成されたＰＣＭ−ＨＷ信号に、ＳＦ周期生成部１２で生成されたＳＦ同期信号を重畳して形成される。その重畳位置はＳＦ同期信号重畳部１３で所定のビット位置であり、その送出先はＰＣＭ−ＨＷ３を介した無線端末インタフェース２である。
【００１６】
無線端末インタフェース２では、ＳＦ同期信号分離部１４がＰＣＭ−ＨＷ３を接続する。ＰＣＭ−ＨＷ３を介して受けた通信及びその制御のための信号は従来同様にＣＯＤＥＣ１５へ渡す。一方、ＳＦ同期信号は、ＰＣＭ−ＨＷ３を介してＳＦ同期信号分離部１４で受けた際にＰＣＭ−ＨＷ信号から分離され、ＳＦ同期信号受信部１６で受信される。
【００１７】
従来との相違は、主制御ユニット１におけるＳＦ同期信号重畳部１３と無線端末インタフェース２におけるＳＦ同期信号分離部１４とが付加される一方、従来のＳＦ同期信号線は削除されている。
【００１８】
ＳＦ同期信号をＰＣＭ−ＨＷに重畳する方法として、主制御ユニット１から全ての無線端末インタフェース２へ送られる下りデータの特定ビットに対応させたＳＦビットを設定している。このＳＦビットとＰＣＭ同期信号及び基準クロックとを用いてスーパーフレームの周期を設定することにより、ＳＦ同期信号を各端末インタフェースへ送ることができる。従って、無線端末インタフェースでは設定された上記ルールに基づいてＰＣＭ−ＨＷからＳＦ同期信号を分離できる。
【実施例２】
【００１９】
本発明によるスーパーフレーム設定について図３に図２を併せ参照し実施例２として説明する。すなわち、ＳＦ周期生成用に主制御ユニット１からＨＷ３へ送出されるデータバスの８ビットを用いてＳＦ同期信号を通知するものである。
【００２０】
図３は、主制御ユニット１の内部で、データバスからの並列７ビットとＳＦ周期信号の１ビットとの合計８ビットを受け、データセレクタを介してＰＣＭ−ＨＷ３の下りデータバスへ送出する８ビットの生成回路である。この回路には、ＳＦ値設定レジスタ（ＳＦ＿ＶＡＬＵＥ）２０、６つのＳＦレジスタ（＿Ａ〜＿Ｆ）２１〜２６、内部ＳＦ同期信号（ＳＦｉｎ）を外部ＳＦ同期信号（ＳＦｏｕｔ）として送出する論理回路３０、およびＳＦレジスタ２１〜２６に対応して６つのハイウェイ（ＨＷ）データセレクタそれぞれに対応ビットを送出する論理回路３１〜３６が図示されている。
【００２１】
ＳＦ値設定レジスタ２０は、書き込み専用の１６ビットレジスタであり、このレジスタに値を１６進表記で設定することにより各種のＳＦ周期を設定することができる。例えば、３．１２秒のスーパーフレームを生成する場合、初期値は「Ｈ‘２０７Ｆ」に、またカウント値は「Ｈ’６１８０」に設定できる。この出力は論理回路３０〜３６のすべてに供給される。
【００２２】
ＳＦレジスタ２１〜２６のそれぞれは、書込み専用の１６ビットレジスタであり、このレジスタに値を設定することによりＨＷ−ＡからＨＷ−ＦまでのタイムスロットＴＳ１２７にＭＳＢビットを設定するＳＦデータを選択できる。このレジスタはリセットにより「Ｈ’００００」に初期化される。
【００２３】
図４は、ビット１，０の設定により各ＨＷのＳＦビットに、設定するデータを選択できる機能について示した説明図である。ビット１，０でビット「０，０」の場合には、主制御ユニット内部のＳＦ同期信号をサンプリングし、ＳＦビットとしてＨＷに送信する。ビット「０，１」の場合には、外部から入力のｎＳＦｉｎ信号をサンプリングしてＳＦビットとしてＨＷに送信する。ビット１が「１」の場合には、ビット０の値が「０，１」に無関係に、ＳＦビットが送信中止される。
【００２４】
ＳＦｏｕｔレジスタは、書込み専用の１６ビットレジスタであり、このレジスタに値を設定することによりｎＳＦｏｕｔ出力のＳＦ信号を選択できる。このレジスタはリセットにより「Ｈ’００００」に初期化される。
【００２５】
図５は、ビット１，０の設定によりｎＳＦｏｕｔ出力のＳＦ信号を選択できる機能について示した説明図である。ビット１，０でビット「０，０」の場合には、主制御ユニット内部のＳＦ同期信号がｎＳＦｏｕｔ端子に出力する。ビット「０，１」の場合には、外部から入力のｎＳＦｉｎ信号がｎＳＦｏｕｔ端子に出力される。ビット１が「１」の場合には、ビット０の値が「０，１」に無関係に、ｎＳＦｏｕｔ端子への信号送出が中止され、常に「１」が送出される。
【実施例３】
【００２６】
本発明によるスーパーフレーム設定について図６に図２を併せ参照し実施例３として説明する。
【００２７】
図６に示されるように、従来のＰＨＳ周期である５ＭＳフレームは２５０μｓ周期信号から２０個分の５ｍｓ周期で２５０μｓパルスを発生して生成される。２５０μｓ周期信号は構内交換装置の８ＭＨｚクロックから生成される４ｋＨｚクロックＣＫ４ｋの周期信号である。次いで、スーパーフレームの周期には、５ＭＳフレームのＭ倍が生成される。例えば、「Ｍ＝２０」の１００ｍｓをフレーム周期として５ｍｓパルスを発生し、これを１ブロックとしているものがある。また、例えば、上述した１０４０ｍｓ周期のスーパーフレームは５ｍｓの１２８倍を計数して生成できる。
【産業上の利用可能性】
【００２８】
構内交換システムで各種端末に共通なハイウェイで所定のビット位置に信号を重畳する方法を用いて無線端末に必要なスーパーフレームを主制御ユニットから無線端末インタフェースへ容易に送ることができることによって、周期的に発生する新しい信号を新規な信号線を設けることなく伝送することが不可欠な用途にも適用できる。
【図面の簡単な説明】
【００２９】
【図１】従来の構内交換システムにおけるブロック構成の一例を示した説明図である。
【図２】本発明による構内交換システムにおけるブロック構成の実施の一形態を示した説明図である。（実施例１）
【図３】図２における構内交換システムでのスーパーフレーム同期信号重畳の実施の一形態を示した説明図である。（実施例２）
【図４】図３のＳＦ＿レジスタにおけるビット適用の実施の一形態を示した説明図である。（実施例２）
【図５】図３のＳＦｏｕｔレジスタにおけるビット適用の実施の一形態を示した説明図である。（実施例２）
【図６】図２における構内交換システムでのスーパーフレーム同期信号生成過程の実施の一形態を示したタイムチャートである。（実施例３）
【符号の説明】
【００３０】
１    主制御ユニット
２    無線端末インタフェース
３    ＰＣＭ−ＨＷ
５    無線端末
１１    ＰＣＭ−ＨＷ信号生成部
１２    ＳＦ周期生成部
１３    ＳＦ同期信号重畳部
１４    ＳＦ同期信号分離部
１５    ＣＯＤＥＣ
１６    ＳＦ同期信号受信部
２０    ＳＦ＿ＶＡＬＵＥ（ＳＦ値設定レジスタ）
２１    ＳＦ＿Ａ（ＳＦレジスタＡ）
２２    ＳＦ＿Ｂ（ＳＦレジスタＢ）
２３    ＳＦ＿Ｃ（ＳＦレジスタＣ）
２６    ＳＦ＿Ｆ（ＳＦレジスタＦ）
３０〜３６    論理回路
【図１】
2006025038.tif 000003
【図２】
2006025038.tif 000004
【図３】
2006025038.tif 000005
【図４】
2006025038.tif 000006
【図５】
2006025038.tif 000007
【図６】
2006025038.tif 000008